(57)【要約】【課題】  第１及び第２ワイヤハーネス間の位置合わせ作業が容易で、双方のワイヤハーネスが位置ずれしないように固定できるワイヤハーネス固定部材を提供する。【解決手段】  ワイヤハーネス固定部材１において、第１ワイヤハーネスＷＨ１に第１バンド部１０を巻き付け、この巻き付けた第１バンド部１０を第１バンド固定部１１で固定する第１ハーネス締結部２と、この第１ハーネス締結部２に連結され、第１ワイヤハーネスＷＨ１と共に第２ワイヤハーネスＷＨ２に第２バンド部１２を巻き付け、この巻き付けた第２バンド部１２を第２バンド固定部１３で固定する一対の第２ハーネス締結部４，４と、第１ハーネス締結部２及び一対の第２ハーネス締結部４，４に一体に設けられ、被取付部材に係止されるクリップ部５とを備えた。【選択図】      図１
2006352977.tif 000002
【特許請求の範囲】
【請求項１】
ワイヤハーネスにバンド部を巻き付けて固定するワイヤハーネス固定部材において、
第１ワイヤハーネスに第１バンド部を巻き付け、この巻き付けた第１バンド部を第１バンド固定部で固定する第１ハーネス締結部と、この第１ハーネス締結部に連結され、前記第１ワイヤハーネスと共に第２ワイヤハーネスに第２バンド部を巻き付け、この巻き付けた第２バンド部を第２バンド固定部で固定する第２ハーネス締結部と、前記第１ハーネス締結部及び前記第２ハーネス締結部に一体に設けられ、被取付部材に係止されるクリップ部とを備えたことを特徴とするワイヤハーネス固定部材。
【請求項２】
請求項１記載のワイヤハーネス固定部材であって、
前記第２ハーネス締結部は、前記第１ハーネス締結部の両側位置に一対設けられたことを特徴とするワイヤハーネス固定部材。
【請求項３】
ワイヤハーネス固定部材のバンド部をワイヤハーネスに巻き付けて固定するワイヤハーネス固定方法において、
第１バンド部をループ状にして第１バンド固定部で固定する第１ハーネス締結部と、第２バンド部をループ状にして第２バンド固定部で固定する第２ハーネス締結部と、前記第１ハーネス締結部及び前記第２ハーネス締結部に一体に設けられたクリップ部とを有するワイヤハーネス固定部材を使用し、第１ワイヤハーネスの所定の固定位置に前記第１バンド部を巻き付け、この巻き付けた第１バンド部を前記第１バンド固定部で固定し、次に、第２ワイヤハーネスの所定の固定位置に予め付けられた目印と前記第１ワイヤハーネスに装着された前記ワイヤハーネス固定部材の位置とを基準に、前記第２ワイヤハーネスと前記第１ワイヤハーネスの互いの固定位置を位置合わせし、次に、この位置合わせした第２ワイヤハーネスと第１ワイヤハーネスに第２バンド部を共に巻き付け、次に、この巻き付けた前記第２バンド部を前記各第２バンド固定部で固定し、前記クリップ部を被取付部材に係止することを特徴とするワイヤハーネス固定方法。
【発明の詳細な説明】
【技術分野】
【０００１】
本発明は、例えば、自動車に配索されるワイヤハーネスを車体パネル等に固定する際に用いるワイヤハーネス固定部材及びこれを用いたワイヤハーネス固定方法に関する。
【背景技術】
【０００２】
この種のワイヤハーネス固定部材として、図５及び図６に示すものがある（例えば、特許文献１参照）。
【０００３】
このワイヤハーネス固定部材１００は、図５及び図６に示すように、ワイヤハーネスＷＨの外周に巻き付ける帯状のバンド部１０１と、このバンド部１０１をワイヤハーネスＷＨに巻き付けた状態で固定するバンド固定部１０２と、バンド部１０１の一端側に固定され、被取付部材（図示せず）に係止するクリップ部１０３とから構成されている。
【０００４】
次に、ワイヤハーネス固定部材１００によるワイヤハーネスＷＨの固定作業を説明する。まず、ワイヤハーネスＷＨの固定位置にバンド部１０１を巻き付ける。そして、ワイヤハーネスを巻き付けたバンド部１０１の先端側をバンド固定部１０２で固定する。これにより、ワイヤハーネス固定部材１００がワイヤハーネスの所定の固定位置に装着される。次に、ワイヤハーネス固定部材１００が装着されたワイヤハーネスＷＨを、例えば自動車の所定の配索経路に沿って配索し、クリップ部１０３を被取付部材である車体パネル等に係止する。これにより、ワイヤハーネスＷＨをワイヤハーネス固定部材１００を介して車体パネル等に固定することができる。
【０００５】
ところで、ワイヤハーネスＷＨの製造工程として、第１ワイヤハーネスＷＨ１と第２ワイヤハーネスＷＨ２をそれぞれ別々に製造し、図６に示すように、第１ワイヤハーネスＷＨ１と第２ワイヤハーネスＷＨ２をワイヤハーネス固定部材１００で共締めして１本のワイヤハーネスとする場合がある。このようなハーネス組み付けの際には、第１ワイヤハーネスＷＨ１と第２ワイヤハーネスＷＨ２は、長手方向に互いに位置合わせした状態で所定の固定位置にワイヤハーネス固定部材を装着する必要がある。そのため、上記従来例のワイヤハーネス固定部材１００を用いて上記ハーネス組み付けを行う場合では、第１ワイヤハーネスＷＨ１と第２ワイヤハーネスＷＨ２の所定の固定位置に目印用のテープを予め巻き付け、この双方のテープ巻き位置を目印として第１ワイヤハーネスＷＨ１と第２ワイヤハーネスＷＨ２をワイヤハーネス固定部材１００で共締めして組み付けることになる。
【特許文献１】特許第３１１２２４９号公報
【発明の開示】
【発明が解決しようとする課題】
【０００６】
しかしながら、前記従来例では、第１ワイヤハーネスＷＨ１と第２ワイヤハーネスＷＨ２を位置合わせした状態で所定の固定位置で固定する際に、双方のワイヤハーネスＷＨ１，ＷＨ２に目印用のテープ巻きを行う必要があり、位置合わせ作業が煩雑であった。また、ワイヤハーネス固定部材１００は、第１及び第２ワイヤハーネスＷＨ１，ＷＨ２を１箇所のバンド部１０１で共締めするだけであるため、第１ワイヤハーネスＷＨ１や第２ワイヤハーネスＷＨ２の外径形状の変形によって固定力が弱まり、ハーネス搬送時等に位置ずれし易いという問題があった。特に、図６に示すように、第１ワイヤハーネスＷＨ１と第２ワイヤハーネスＷＨ２の太さが異なる場合に、細い方のワイヤハーネスＷＨである第２ワイヤハーネスＷＨ２が位置ずれを起こし易かった。
【０００７】
そこで、本発明は、前記した課題を解決すべくなされたものであり、第１ワイヤハーネスと第２ワイヤハーネスを固定するものにあって、双方のワイヤハーネス間の位置合わせ作業が容易で、しかも、双方のワイヤハーネスが位置ずれしないように固定できるワイヤハーネス固定部材及びこれを用いたワイヤハーネス固定方法を提供することを目的とする。
【課題を解決するための手段】
【０００８】
請求項１の発明は、ワイヤハーネスにバンド部を巻き付けて固定するワイヤハーネス固定部材において、第１ワイヤハーネスに第１バンド部を巻き付け、この巻き付けた第１バンド部を第１バンド固定部で固定する第１ハーネス締結部と、この第１ハーネス締結部に連結され、前記第１ワイヤハーネスと共に第２ワイヤハーネスに第２バンド部を巻き付け、この巻き付けた第２バンド部を第２バンド固定部で固定する第２ハーネス締結部と、前記第１ハーネス締結部及び前記第２ハーネス締結部に一体に設けられ、被取付部材に係止されるクリップ部とを備えたことを特徴とする。
【０００９】
請求項２の発明は、請求項１記載のワイヤハーネス固定部材であって、前記第２ハーネス締結部は、前記第１ハーネス締結部の両側位置に一対設けられたことを特徴とする。
【００１０】
請求項３の発明は、ワイヤハーネス固定部材のバンド部をワイヤハーネスに巻き付けて固定するワイヤハーネス固定方法において、第１バンド部をループ状にして第１バンド固定部で固定する第１ハーネス締結部と、第２バンド部をループ状にして第２バンド固定部で固定する第２ハーネス締結部と、前記第１ハーネス締結部及び前記第２ハーネス締結部に一体に設けられたクリップ部とを有するワイヤハーネス固定部材を使用し、第１ワイヤハーネスの所定の固定位置に前記第１バンド部を巻き付け、この巻き付けた第１バンド部を前記第１バンド固定部で固定し、次に、第２ワイヤハーネスの所定の固定位置に予め付けられた目印と前記第１ワイヤハーネスに装着された前記ワイヤハーネス固定部材の位置とを基準に、前記第２ワイヤハーネスと前記第１ワイヤハーネスの互いの固定位置を位置合わせし、次に、この位置合わせした第２ワイヤハーネスと第１ワイヤハーネスに第２バンド部を共に巻き付け、次に、この巻き付けた前記第２バンド部を前記各第２バンド固定部で固定し、前記クリップ部を被取付部材に係止することを特徴とする。
【発明の効果】
【００１１】
請求項１及び請求項３の発明によれば、第１ワイヤハーネスに装着されたワイヤハーネス固定部材が固定位置の目印の役目をするため、第２ワイヤハーネスにのみ固定位置の目印を付する作業を行えば良く、また、第１ハーネス締結部によって第１ワイヤハーネスを固定し、第２ハーネス締結部によって第１ワイヤハーネスと第２ワイヤハーネスを共締めするため、第１ワイヤハーネスの位置ずれを確実に防止でき、位置ずれしない第１ワイヤハーネスに対して第２ワイヤハーネスが第２ハーネス締結部で共締めされているため、第２ワイヤハーネスも容易には位置ずれしない。これらにより、双方のワイヤハーネス間の位置合わせ作業が容易で、しかも、双方のワイヤハーネスを位置ずれしないように固定できる。
【００１２】
請求項２の発明によれば、ワイヤハーネス固定部材に完全に固定される第１ワイヤハーネスの両側位置で、第２ワイヤハーネスと第１ワイヤハーネスを共締めで固定するため、第１ワイヤハーネスに対する第２ワイヤハーネスの位置ずれを有効に防止できる。
【発明を実施するための最良の形態】
【００１３】
以下、本発明の一実施形態を図面に基づいて説明する。
【００１４】
図１〜図４は本発明の一実施形態を示し、図１はワイヤハーネス固定部材で第１及び第２ワイヤハーネスを結合した状態を示す斜視図、図２はワイヤハーネス固定部材で第１及び第２ワイヤハーネスを結合した状態を示す平面図、図３はワイヤハーネス固定部材で第１及び第２ワイヤハーネスを結合した状態を示す側面図、図４はワイヤハーネス固定部材を第１ワイヤハーネスに装着した状態を示す斜視図である。
【００１５】
図１〜図３に示すように、ワイヤハーネス固定部材１は、第１ハーネス締結部２と、この第１ハーネス締結部２の両側に各連結部３，３を介して連結された一対の第２ハーネス締結部４，４と、第１ハーネス締結部２及び一対の第２ハーネス締結部４，４に一体に設けられたクリップ部５とから構成されている。
【００１６】
第１ハーネス締結部２は、帯状の第１バンド部１０と、ループ状に巻き付けた第１バンド部１０を固定する第１バンド固定部１１とを備えている。第１バンド部１０は可撓性を有し、その外面側には長手方向に沿って連続的に連続凹凸部１０ａが形成されている。第１バンド固定部１１は、第１バンド部１０が挿通されるバンド挿通孔１１ａと、このバンド挿通孔１１ａに挿通された第１バンド部１０の連続凹凸部１０ａに係止する図示しない係止突起とを有し、バンド挿通孔１１ａに挿入した第１バンド部１０の連続凹凸部１０ａに係止突起が強く係止することによってループ状にした第１バンド部１０を固定するようになっている。
【００１７】
各第２ハーネス締結部４も、第１ハーネス締結部２と同様に、帯状の第２バンド部１２と、ループ状に巻き付けた第２バンド部１２を固定する第２バンド固定部１３とを備えている。第２バンド部１２にも同様に連続凹凸部１２ａが形成され、第２バンド固定部１３も同様な構造を有する。
【００１８】
クリップ部５は、第１バンド固定部１１の面より突設されている。クリップ部５は、図示しない車体パネル等に形成されたクリップ被係止部に所定寸法だけ挿入されると、弾性復帰変形を利用して車体パネルに係止されるようになっている。
【００１９】
次に、基本ハーネスである第１ワイヤハーネスＷＨ１と付加ハーネスである第２ワイヤハーネスＷＨ２を別々に製造し、この双方のワイヤハーネスＷＨ１，ＷＨ２をハーネス組み付け工程でワイヤハーネス固定部材１を用いて１本のワイヤハーネスに結合する際の作業を説明する。
【００２０】
図４に示すように、第１ワイヤハーネスＷＨ１の所定の固定位置の外周に第１バンド部１０を巻き付け、第１ワイヤハーネスＷＨ１の外周に巻き付けた第１バンド部１０の先端側を第１バンド固定部１１のバンド挿通孔１１ａに挿通してループ状とする。このループ状とした第１バンド部１０で第１ワイヤハーネスＷＨ１の外周を強く締結すると、第１バンド部１０の凹凸部１０ａが最終的に係止する箇所で第１バンド固定部１１が第１バンド部１０を固定する。これにより、ワイヤハーネス固定部材１を第１ワイヤハーネスＷＨ１の所定位置に装着する。
【００２１】
また、第２ワイヤハーネスＷＨ２の所定の固定位置には、予め目印用のテープ２０を巻き付けておく。
【００２２】
次に、図１〜図３に示すように、第２ワイヤハーネスＷＨ２のテープ２０の位置と第１ワイヤハーネスＷＨ１のワイヤハーネス固定部材１の装着位置とを基準に、第２ワイヤハーネスＷＨ２と第１ワイヤハーネスＷＨ１の互いの固定位置を位置合わせする。この位置合わせした第２ワイヤハーネスＷＨ２と第１ワイヤハーネスＷＨ１に各第２バンド部１２を共に巻き付け、上記した第１バンド部１０と同様にして、各第２バンド部１２の先端側を各第２バンド固定部１３で固定する。
【００２３】
以上により、ワイヤハーネス固定部材１による結合作業が完了する。尚、ワイヤハーネス固定部材１を数カ所に固定する場合には、上記とほぼ同様にしてワイヤハーネス固定部材１を固定すれば良い。
【００２４】
このように１本に結合されたワイヤハーネスは、搬送等を経て自動車の所定の配索経路に沿って配索され、ワイヤハーネス固定部材１のクリップ部５を被取付部材である車体パネルのクリップ被取付孔に係止される。
【００２５】
以上、ワイヤハーネス固定部材１及びこれを用いたワイヤハーネス固定方法では、第１ワイヤハーネスＷＨ１に装着されたワイヤハーネス固定部材１が固定位置の目印の役目をするため、第２ワイヤハーネスＷＨ２にのみ固定位置の目印となるテープ巻き作業を行えば良い。また、第１ハーネス締結部２によって第１ワイヤハーネスＷＨ１を固定し、一対の第２ハーネス締結部４，４によって第１ワイヤハーネスＷＨ１と第２ワイヤハーネスＷＨ２を共締めするため、第１ワイヤハーネスＷＨ１の位置ずれを確実に防止でき、位置ずれしない第１ワイヤハーネスＷＨ１に対して第２ワイヤハーネスＷＨ２が一対の第２ハーネス締結部４，４で共締めされる、このため、第２ワイヤハーネスＷＨ２も容易には位置ずれしない。これらにより、双方のワイヤハーネスＷＨ１，ＷＨ２間の位置合わせ作業が容易で、しかも、双方のワイヤハーネスＷＨ１，ＷＨ２を位置ずれしないように固定できる。特に、第１ワイヤハーネスＷＨ１と第２ワイヤハーネスＷＨ２の太さが異なる場合にあっては、細い方のワイヤハーネスを第１ワイヤハーネスＷＨ１として第１ハーネス締結部２で固定すれば、完全に位置ずれを防止できる。
【００２６】
また、第２ハーネス締結部４，４は、第１ハーネス締結部２の両側位置に一対設けられたので、ワイヤハーネス固定部材１に完全に固定される第１ワイヤハーネスＷＨ１の両側位置で、第２ワイヤハーネスＷＨ２が第１ワイヤハーネスＷＨ２と共に共締めで固定されるため、第１ワイヤハーネスＷＨ１に対する第２ワイヤハーネスＷＨ２の位置ずれを有効に防止できる。
【００２７】
尚、前記実施形態では、第２ワイヤハーネスＷＨ２の固定位置にテープ２０で目印をしたが、目印の手段は目視できるものであれば良く、テープ２０に限定されるものでないことは勿論である。また、第１ワイヤハーネスＷＨ１が基本ハーネスであり、第２ワイヤハーネスＷＨ２が付加ハーネスであるが、第１及び第２ワイヤハーネスは相対的な概念である。さらに、ワイヤハーネスとは、複数の電線を集束したもののみならず、多数の芯線を内蔵した１本の電線をも含む概念である。
【図面の簡単な説明】
【００２８】
【図１】本発明の一実施形態を示し、ワイヤハーネス固定部材で第１及び第２ワイヤハーネスを結合した状態を示す斜視図である。
【図２】本発明の一実施形態を示し、ワイヤハーネス固定部材で第１及び第２ワイヤハーネスを結合した状態を示す平面図である。
【図３】本発明の一実施形態を示し、ワイヤハーネス固定部材で第１及び第２ワイヤハーネスを結合した状態を示す側面図である。
【図４】本発明の一実施形態を示し、ワイヤハーネス固定部材を第１ワイヤハーネスに装着した状態を示す斜視図である。
【図５】従来例のワイヤハーネス固定部材の斜視図である。
【図６】従来例のワイヤハーネス固定部材を用いて第１及び第２ワイヤハーネスを結合した状態を示す断面図である。
【符号の説明】
【００２９】
１  ワイヤハーネス固定部材
２  第１ハーネス締結部
４  第２ハーネス締結部
５  クリップ部
１０  第１バンド部
１１  第１バンド固定部
１２  第２バンド部
１３  第２バンド固定部
２０  テープ（目印）
【図１】
2006352977.tif 000003
【図２】
2006352977.tif 000004
【図３】
2006352977.tif 000005
【図４】
2006352977.tif 000006
【図５】
2006352977.tif 000007
【図６】
2006352977.tif 000008